(57)【要約】      （修正有）【課題】発熱部品の大きさや形状に合わせて種々な大きさ形状のものを用意する必要がなく、また多種の絶縁シートを用いることなく、容易に放熱させることが可能に構成された電気機器を提供する。【解決手段】ベースケース２の内面に第１の絶縁シート３配置され、電気部品が実装された回路基板６が第１の絶縁シート３を介してベースケース２の底面部側に配置され、カバーケースの内側面に沿うようにカバーケース内面に第２の絶縁シートが配置され、絶縁性放熱樹脂６０が、ベースケース２と第１の絶縁シート３との間またはカバーケースと第２の絶縁シートとの間の少なくとも一方に塗布されている。【選択図】図２
2010170841.tif 000002
【特許請求の範囲】
【請求項１】
底面部及びこの底面部の両側から上方に連続する一対の側壁部により樋状に構成されたベースケースと；
天板部及びこの天板部の両側から連続してベースケースの側壁部に重なるように形成された一対の側板部を有し、この一対の側板部がベースケースの側壁部に重合するように係合されたカバーケースと；
ベースケース内面およびカバーケースの内面に配置された絶縁シートと；
電気部品が実装された回路基板により構成され、回路基板が絶縁シートを介してベースケースの底面部側に配置された電気回路と；
ベースケースと絶縁シートの間またはカバーケースと絶縁シートの間の少なくとも一方に塗布された絶縁性放熱樹脂と
を具備したことを特徴とする電気機器。
【請求項２】
回路基板に実装された発熱部品と絶縁性放熱樹脂に接する絶縁シートとの間を、同一または他の絶縁性放熱樹脂により熱的に連結したことを特徴とする請求項１に記載の電気機器。
【請求項３】
点灯装置として使用される請求項１または２に記載の電気機器と；
この点灯装置により点灯される光源と；
点灯装置及び光源を配置している器具本体と
を具備することを特徴とする照明器具。
【発明の詳細な説明】
【技術分野】
【０００１】
本発明は、ベースケースとこれの蓋であるカバーケースにより箱状に構成され、内部の回路を絶縁するための絶縁シートを備える電気機器に関する。
【背景技術】
【０００２】
従来の照明用点灯装置にあっては、図５（ａ）に示されるように、回路基板９０の一面上に実装された発熱部品９１の頭部９１ｔや底面部９１ｂに、プレート状の固定形状を有するシリコーンシート９３を介装させて放熱を行っていた。発熱部品９１の頭部９１ｔに設けられるシリコーンシート９３は、カバーケース９４の内側に設けられている絶縁シート９５と発熱部品９１の頭部９１ｔ間に介装される。
【０００３】
或いは、図５（ｂ）に示されるよう回路基板９０の裏面に実装された発熱部品９６については、ベースケース９７の内側に設けられている絶縁シート９８と発熱部品９６の頭部９６ｔの間にシリコーンシート９３が介装される。
【発明の概要】
【発明が解決しようとする課題】
【０００４】
しかしながら、上記のようなシリコーンシート９３は、前述の通り、固定形状であるから、発熱部品の大きさや形状に合わせて、更に、発熱部品と絶縁シートとの間の寸法に合わせて、大きさや厚みなど種々様々なラインナップを揃える必要があり、煩わしい上に、コスト的に高価である問題点があった。また、製造の過程においては、発熱部品の大きさや形状に合わせて、更に、発熱部品と絶縁シートとの間の寸法に合わせて、適切なシリコーンシートを選択して実装する必要があり、作業効率の点からも問題であった。
【０００５】
上記に対し、基板のベースケース側に配置された絶縁シートに開口部を設け、基板のベースケース側に放熱用樹脂を充填し、上記開口部を介して放熱を必要とする電子部品とベースケースとを接触するようにした構成の放電灯点灯装置が知られている（特許文献１参照）。
【０００６】
しかしながら、上記の放電灯点灯装置では、予め所定位置に開口部を形成した絶縁シートを用意する必要がある。従って、ベースケース等の寸法は同じであるが、基板に実装されている電子部品が異なる異機種の放電灯点灯装置を製造する場合には、何種類かの絶縁シートを用意しなければならない。また、機種に合わせて絶縁シートを選択して実装する必要があり、作業効率の点からも問題である。
【０００７】
本発明は、上記のような従来の点灯装置等の電気機器が有している問題点を解決するもので、シリコーンシートのように発熱部品の大きさや形状に合わせて種々な大きさ形状のものを用意する必要がなく、また多種の絶縁シートを用いることなく、容易に放熱させることが可能に構成された電気機器を提供することを目的とする。
【課題を解決するための手段】
【０００８】
本発明に係る電気機器は、底面部及びこの底面部の両側から上方に連続する一対の側壁部により樋状に構成されたベースケースと；天板部及びこの天板部の両側から連続してベースケースの側壁部に重なるように形成された一対の側板部を有し、この一対の側板部がベースケースの側壁部に重合するように係合されたカバーケースと；ベースケース内面およびカバーケースの内面に配置された絶縁シートと；電気部品が実装された回路基板により構成され、回路基板が絶縁シートを介してベースケースの底面部側に配置された電気回路と；ベースケースと絶縁シートの間またはカバーケースと絶縁シートの間の少なくとも一方に塗布された絶縁性放熱樹脂とを具備したことを特徴とする。
【０００９】
絶縁性放熱樹脂は、絶縁シートと同等の絶縁性能を備えたものであり、Ｅ種絶縁物登録を受けているものが好適である。絶縁性放熱樹脂としては、耐候性、絶縁性に優れた所定のグレードのウレタン樹脂、シリコーン樹脂等を用いることができる。発熱部品は、発熱するため放熱の必要がある所要の電気電子部品であり、トランス、トランジスタ、コンデンサなどをあげることができるが、これらに限定されない。また、絶縁性放熱樹脂は、チキソ性を有するものが好適である。チキソ性とは、チキソトロピー（Thixotropy）性のことで、攪拌すると流動性を増し、静置すると固形化する性質であり、塗布等の後に傾斜面や垂直面等に置いても流動しない性質である。
【００１０】
絶縁性放熱樹脂の塗布は、通常、所要位置に塗布することになるが、ベースケースと絶縁シートとの間の全面またはカバーケースと絶縁シートとの間の全面に渡って塗布することを排除するものではない。
【００１１】
本発明に係る電気機器は、回路基板に実装された発熱部品と絶縁性放熱樹脂に接する絶縁シートとの間を、同一または他の絶縁性放熱樹脂により熱的に連結したことを特徴とする。
【００１２】
他の絶縁性放熱樹脂とは、成分や組成が異なるという意味ではなく、ベースケースとの間またはカバーケースの間の少なくとも一方に塗布された絶縁性放熱樹脂とは、部材として異なることを意味する。従って、成分や組成が同一の形態を含むものである。同一とは、ベースケースとの間またはカバーケースとの間の少なくとも一方に塗布された絶縁性放熱樹脂と、回路基板に実装された発熱部品と絶縁シートとの間に設ける絶縁性放熱樹脂とは一体であることを含む意味である。
【００１３】
本発明に係る照明器具は、点灯装置として使用される請求項１または２に記載の電気機器と；この点灯装置により点灯される光源と；点灯装置及び光源を配置している器具本体とを具備することを特徴とする。
【発明の効果】
【００１４】
本発明に係る電気機器においては、ベースケースと絶縁シートとの間またはカバーケースと絶縁シートとの間の少なくとも一方に絶縁性放熱樹脂が塗布された構造を備えているので、上記絶縁シートに熱的に結合すれば、これらのシートを介して上記塗布されている絶縁性放熱樹脂から放熱でき、更に、絶縁性放熱樹脂からベースケースやカバーケースへと熱を伝導させて放熱できる。このため、多種の絶縁シートを用いることなく、容易に効率良く放熱させることが可能である。また、絶縁シートが絶縁性放熱樹脂によってベースケースやカバーケースと確実に密着し絶縁シートが曲がっていたり反っていたりする場合にも、安定的な実装を実現することができる。
【００１５】
本発明に係る電気機器においては、回路基板に実装された発熱部品と絶縁性放熱樹脂に接する絶縁シートとの間を、同一または他の絶縁性放熱樹脂により熱的に連結したので、発熱部品を絶縁シートを介して放熱でき、容易に効率良く放熱させることが可能である。
【００１６】
本発明に係る照明器具によれば、請求項１または２に記載の電気機器を備えた照明器具を提供することができる。
【図面の簡単な説明】
【００１７】
【図１】本発明に係る電気機器の実施例である放電ランプ点灯装置を示す一部省略組立斜視図。
【図２】本発明に係る電気機器の実施例である放電ランプ点灯装置の実施形態における要部構成を示す一部断面側面図。
【図３】本発明に係る電気機器の実施例である放電ランプ点灯装置に用いられる回路基板の裏面要部を示す平面図。
【図４】本発明の電気機器に係る実施例を用いて構成した照明器具の構成を示す斜視図。
【図５】電気機器の従来例である放電ランプ点灯装置の要部構成を示す一部断面側面図。
【発明を実施するための形態】
【００１８】
以下添付図面を参照して、本発明に係る点灯装置等の電気機器及び照明器具の実施例を説明する。各図において、同一の構成要素には同一の符号を付して重複する説明を省略する。図１に、本発明に係る電気機器の実施例である放電ランプ点灯装置を示す。
【００１９】
放電ランプ点灯装置１は、ベースケース２、第１の絶縁シート３、点灯回路４、カバーケース５及び第２の絶縁シート７を主な構成要素としている。絶第１縁シート３は、ベースケース２の内側を沿って配置されており、金属製のベースケース２と点灯回路４との電気的接続を遮断している。点灯回路４は、回路基板６に電気部品を実装した構成を有している。カバーケース５は、ベースケース２に覆い被さる蓋の機能を有し、カバーケース５の内側に沿って、上に凸の半円の円弧に相当するＲ形状を有する第２の絶縁シート７が配置される。カバーケース５とベースケース２により構成される筐体内には、第１の絶縁シート３と第２の絶縁シート７に覆われた状態で点灯回路４が収納される。
【００２０】
ベースケース２は、例えば１枚の金属製の平板を折り曲げて、底面部２ａの両側部に一対の側壁部２ｂ、２ｂを備えるように構成されている。金属としては、例えば鋼板材が用いられる。上記底面部２ａは、細長い長方形の形状に形成されている。また、一対の側壁部２ｂ、２ｂは、底面部２ａの長手方向に沿うように両側から上方に折り曲げられ、底面部２ａとほぼ直交し互いに対向してベースケース２の全体が略樋形状に形成されている。
【００２１】
一対の側壁部２ｂ、２ｂは、その長手方向の一端側２ｂａ及び図示しない他端側及び中央位置に、係合部である孔８と、四角形状の透通孔１０がそれぞれ形成されている。孔８は、円形状に形成され、カバーケース５の係合部である凸部（ベースケース２側へ向かって凸）１６と係合する大きさに形成されている。
【００２２】
更に、一対の側壁部２ｂ、２ｂにおいては、その長手方向の一端側２ｂａ及び図示しない他端側及び中央位置に、それぞれ側壁部２ｂ、２ｂの内側に突出する長形の基板支持段部２２が形成されている。合計６個である基板支持段部２２は、第１の絶縁シート３を介して回路基板６を支持する。更に、底面部２ａの長手方向の一端側２ａａ及び図示しない他端側には、取付け孔１２が穿設されている。
【００２３】
第１の絶縁シート３は、平面状に形成された絶縁性の例えば、厚さが0.2 〜1.0 ｍｍ程度のポリエチレンテレフタレート（ＰＥＴ）などの弾性を有する樹脂により構成され、ベースケース２の内面に沿ってベースケース２に配置され、一部が側壁部２ｂ、２ｂから上方へ突出している。第２の絶縁シート７の材質と厚みとを有する。
【００２４】
点灯回路４は、電気部品が回路基板６に実装されて構成されている。回路基板６には、その上面６ａにおいて、一端側６ｂに入力用の端子台１３が配設されており、図示しない他端側に出力用の端子台が配設されている。入力用の端子台１３には、商用交流電源からの電源線が接続され、出力用の端子台からは、放電ランプが装着されるランプソケットに接続されるリード線が導出される。
【００２５】
電気部品は、回路基板６の入力用の端子台１３と出力用の端子台との間に実装されており、コンデンサＣ１、インダクタＬ１更に図示しないトランジスタなどによって、交流電圧を直流電圧へ変換する直流電源回路、直流電圧を高周波交流電圧へ変換するインバータ回路、更に放電ランプに共振電圧を印加する共振回路などが形成されている。上記の点灯回路４は、第１の絶縁シート３を介してベースケース２の底面部２ａ側に配置されている。
【００２６】
カバーケース５は、例えば鋼板材により構成され、一対の側板部５ｃ、５ｃ及びこの一対の側板部５ｃ、５ｃをつなぐ天板部５ａを有する。より詳細には、カバーケース５は、一枚の平板を折り曲げて構成したもので、長方形状の天板部５ａと、この天板部５ａの長手方向に沿う両端に連設すると共に天板部５ａに対して互いに内向きに傾斜する一対の傾斜板部５ｂ、５ｂを備える。この一対の傾斜板部５ｂ、５ｂには、その長手方向に沿うように互いにほぼ平行に対向する一対の側板部５ｃ、５ｃが連設している。更に、天板部５ａにおける長手方向の両端には、天板部５ａに対しほぼ直交するように形成された一対に端板部５ｄ、５ｄが天板部５ａに連設している。この端板部５ｄ、５ｄは、平面形状が略五角形状をなし、カバーケース５における長手方向の両側端の開口１４の上側を略閉塞している。側板部５ｃ、５ｃは、傾斜板部５ｂ、５ｂを介して天板部５ａの長手方向に沿う両側に連設されている。
【００２７】
上記一対の側板部５ｃ、５ｃのそれぞれの一端側５ｃｂ、５ｃｂおよび図示しない他端側には、係合部である凸部（ベースケース２側へ向かって凸）１６と爪孔部９が形成されている。凸部１６は、側板部５ｃの外面５ｃｃを例えばプレスすることにより凹ませて形成され、側板部５ｃの内面５ｃｄからカバーケース５の内側に突出している。そして、その突出面は、略球面状（楕円状）に形成されている。凸部１６は、通称ダボ構造に形成されている。爪孔部９から凸部１６までの距離は、爪部９ｃを折り曲げた際に生じる基部９ａ付近に生じる反り返りの影響の範囲を避ける程度に十分長く設定されている。
【００２８】
カバーケース５をベースケース２に連結するときに、ベース２の一対の側壁部２ｂ、２ｂは、カバーケース５の側板部５ｃ、５ｃに挟まれる。これにより、カバーケース５の側板部５ｃ、５ｃの内面５ｃｄ、５ｃｄとベースケース２の一対の側壁部２ｂ、２ｂの外面が重なり合う。そして、カバーケース５をベースケース２の底面部２ａ側に押圧して移動させると、カバーケース５の凸部１６が側壁部２ｂ、２ｂの外面に乗り上がる。
【００２９】
凸部１６は、一対の側板部５ｃ、５ｃがベースケース２の一対の側壁部２ｂ、２ｂに重なり合うときに、側壁部２ｂ、２ｂに設けられた孔８に嵌合する。このとき、孔８のほぼ全周の縁部に凸部１６の突出面が当接する。これにより、凸部１６は孔８に強固に固定され、孔８において移動しなくなる。
【００３０】
爪孔部９は、側板部５ｃの外面５ｃｃを切り込むことにより形成されている。爪孔部９には、側板部５ｃの出幅方向（側板部５ｃの長手方向に直交する方向）を向くように爪部９ｃが形成されている。カバーケース５がベースケース２に被せられるようにして連結された状態では、カバーケース５の爪孔部９はベースケース２の透通孔１０と重なる。ここで、爪孔部９の開口１５に相当する部位を内面方向に押圧して爪部９ｃを折り曲げる治具を用いて、爪部９ｃが透通孔１０より内側に折り込まれる。
【００３１】
カバーケース５がベースケース２に被せられる場合には、カバーケース５の内側に沿って配置されているＲ形状を有する第２の絶縁シート７の下端部が、第１の絶縁シート３の上端部に被さる。これにより、端子台１３などを除く回路基板６は、第１の絶縁シート３及び第２の絶縁シート７に包まれた状態となり、外部と電気的に絶縁される。
【００３２】
この実施形態においては、図２に示すような実装構造を有している。回路基板６には、電子部品５１が実装されており、回路基板６の裏面６１には、発熱部品であるチップ部品５２が実装されている。この例では、チップ部品５２と第１の絶縁シート３を熱的に結合するため、チップ部品５２と第１の絶縁シート３との間に絶縁性放熱樹脂６０を設ける。
【００３３】
本実施の形態では、ベースケース２と第１の絶縁シート３との間（またはカバーケース５と第２の絶縁シート７との間でも良い）に、絶縁性放熱樹脂６０Ａが塗布された構造を備えている。絶縁性放熱樹脂６０Ａと絶縁性放熱樹脂６０とは、組成は同じものであるが、別体であり、第１の絶縁シート３を介して熱的結合が生じる関係にある。勿論、絶縁シート３（または２）の同一位置に穴を開けて、絶縁性放熱樹脂６０Ａと絶縁性放熱樹脂６０とを一体に構成することもできる。
【００３４】
このような構成の本実施形態においては、チップ部品５２の形状大きさに合わせて、またチップ部品５２と第１の絶縁シート３の距離に合わせて所要量の絶縁性放熱樹脂６０を用いてチップ部品５２と第１の絶縁シート３との間を結合すればよく、シリコーンシートのように特定形状及び特定大きさを有するものを複数種類用意する必要がない。
【００３５】
しかも、チップ部品５２は直接結合している絶縁性放熱樹脂６０によって放熱がなされると共に、第１の絶縁シート３を介して結合している絶縁性放熱樹脂６０Ａによる放熱もなされる。更に、絶縁性放熱樹脂６０Ａを介してベースケース２からの放熱も期待できる構成となっている。
【００３６】
上記のような構成によって、第１の絶縁シート３や第２の絶縁シートをそれぞれ一種類用意すれば良く、部品点数は減少するが、回路基板６に実装する電子部品が異なる幾つかの機種の電気機器を製造することに変わりはない。従って、異なる機種を製造するために、現在製造している機種等を作業者が認識する必要がある。ここで、通常は製品展開上の共通の回路基板に実装する部品については、外形シルク表示は全て同一色であり、部品ごとに共通のシルクを使用している。このため、上記のように回路基板６が同一であるが、これに実装する電子部品の定数等が異なる機種の製品を製造する場合には、回路基板６のシルクによってはどの機種かを判定することができない。
【００３７】
そこで、本実施形態においては、回路基板６に実装する発熱部品に対し絶縁性放熱樹脂６０を塗布する際に用いるディスペンサ（液体定量吐出装置）によって、回路基板６の所定位置に機種を識別する識別標記を絶縁性放熱樹脂６０により描いている。図２の例では、回路基板６の裏面６１の所定の端部６２の近傍に、識別標記６３を絶縁性放熱樹脂６０により描いている。
【００３８】
図３は、回路基板６の裏面６１における識別標記６３が描かれた領域付近を示す平面図である。ここでは、バーＢＢが二本描かれており、二本により特定の機種（例えば、第２番目の機種）を示す。要は作業員が、この識別標記６３を見てどの機種を製造しているか認識し、実装する部品を誤ることを避けるようになっている。この構成によれば、発熱部品であるチップ部品に絶縁性放熱樹脂６０を塗布する工程において、識別標記６３を描くことができ、別工程を用意することなく極めて効率的である。
【００３９】
上記の識別標記６３の位置は一例に過ぎず、回路基板６の表面側でも良い。また、ディスペンサによって、塗布する材料は絶縁性放熱樹脂に限定されるものではなく、例えば、接着剤などを材料としてディスペンサによって、識別標記６３を描くようにしても良い。
【００４０】
図４には、本発明に係る照明器具の実施例を示す。照明器具３０は、天井面などに直付けされる照明器具であり、略枠状の器具本体１７の両端に一対のランプソケット１８、１８が設けられている。このランプソケット１８、１８には、放電ランプである直管形蛍光ランプ１９が装着されている。また、器具本体１７は、蛍光ランプ１９に対向して断面略皿状の反射板２０を取り付けており、この反射板２０の表面は反射面２０ａとなっている。
【００４１】
また、器具本体１７は、反射板２０の内側において、図１に示した放電ランプ点灯装置１をベースケース２の底面部２ａに設けた取付け孔１２に通しねじにより固定している。そして、放電ランプ点灯装置１が給電されることにより、蛍光ランプ１９が点灯する。
【００４２】
照明器具３０は、放電ランプ点灯装置１の小型化により、容易に配設スペースを確保することができ、放電ランプ点灯装置１の低コスト化により、安価に形成することができる。
【符号の説明】
【００４３】
２  ベースケース
３  第１の絶縁シート
５  カバーケース
６  回路基板
７  第２の絶縁シート
５２  発熱部品としてのチップ部品
６０、６０Ａ  絶縁性放熱樹脂
６３  識別標記
【先行技術文献】
【特許文献】
【００４４】
【特許文献１】特許第４１３３５９７号明細書
【図１】
2010170841.tif 000003
【図２】
2010170841.tif 000004
【図３】
2010170841.tif 000005
【図４】
2010170841.tif 000006
【図５】
2010170841.tif 000007